(57)【要約】【課題】操作部のカバー部材を着脱する際の静電気放電から電気基板を効率よく保護する画像入出力装置及び操作装置を提供する。【解決手段】第１の位置と第２の位置とに移動可能な可動部材１２を有する画像入出力部と、画像入出力部を操作するための操作部１５であって、電気基板を有する操作部１５と、操作部１５を覆う着脱可能なカバー部材１７と、可動部材１２に設けられている静電気除去手段と、を備え、可動部材１２は、ユーザにより第１の位置から第２の位置に移動されたときカバー部材１７を着脱可能にする。【選択図】図１
2009204996.tif 000002
【特許請求の範囲】
【請求項１】
画像を入力及び／又は出力する画像入出力部であって、第１の位置と第２の位置とに移動可能な可動部材を有する画像入出力部と、
前記画像入出力部を操作するための操作部であって、電気基板を有する操作部と、
前記操作部を覆う着脱可能なカバー部材と、
前記可動部材に設けられている静電気除去手段と、
を備え、
前記可動部材は、前記第１の位置にあるとき前記カバー部材を着脱不能にし、ユーザにより前記第１の位置から前記第２の位置に移動されたとき前記カバー部材を着脱可能にする画像入出力装置。
【請求項２】
前記可動部材は当該可動部材を移動させるユーザが手を掛けるための手掛け部を有し、
前記静電気除去手段は前記手掛け部に設けられている請求項１に記載の画像入出力装置。
【請求項３】
前記画像入出力部は、原稿台に載置された原稿を覆う原稿カバーと、前記原稿台に載置された原稿を読み取って画像データを生成する読取部とを有し、
前記可動部材は前記原稿カバーであり、
前記第１の位置は前記原稿を覆う位置であり、前記第２の位置は前記原稿台を開放する位置である請求項１又は請求項２に記載の画像入出力装置。
【請求項４】
前記画像入出力部は、開口を有する筐体と、前記開口を開閉する開閉扉と、前記筐体に収容され印刷媒体に画像を形成する画像形成部とを有し、
前記可動部材は前記開閉扉であり、
前記第１の位置は前記開口を閉じる位置であり、前記第２の位置は前記開口を開く位置である請求項１又は請求項２に記載の画像入出力装置。
【請求項５】
前記可動部材は前記第１の位置にあるとき前記カバー部材を覆う請求項１乃至請求項４のいずれか一項に記載の画像入出力装置。
【請求項６】
前記可動部材は前記カバー部材の前記可動部材に近い側の外縁部を覆う請求項５に記載の画像入出力装置。
【請求項７】
前記カバー部材は前記可動部材に覆われる位置まで延びる延出部を備える請求項６に記載の画像入出力装置。
【請求項８】
前記静電気除去手段は、静電気除去シート又は避雷針である請求項１乃至請求項７のいずれか一項に記載の操作装置。
【請求項９】
電気基板を有する操作部と、
前記操作部を覆う着脱可能な絶縁性のカバー部材と、
前記カバー部材の外縁部に設けられている第１の導電性部材であって、前記カバー部材を前記操作部に装着する際に、前記操作部に最初に接触する部分に設けられる第１の導電性部材と、
前記操作部に設けられる第２の導電性部材であって、前記カバー部材を前記操作部に装着する際に、前記第１の導電性部材が最初に接触する部分に設けられる第２の導電性部材と、
を備える操作装置。
【請求項１０】
電気基板とこれを支持する絶縁部材とを有する操作部と、
前記操作部を覆う着脱可能な絶縁性のカバー部材と、
前記絶縁部材の外縁部に設けられている静電気除去手段と、
を備える操作装置。
【請求項１１】
前記静電気除去手段は避雷針である請求項１０に記載の操作装置。
【請求項１２】
電気基板とこれを支持する絶縁部材とを有する操作部と、
前記操作部を覆う着脱可能なカバー部材と、
前記絶縁部材の外縁部に設けられ、ユーザと前記電気基板との沿面距離を長くする絶縁性の壁部と、
を備える操作装置。
【発明の詳細な説明】
【技術分野】
【０００１】
本発明は、操作部を覆うカバー部材を備える画像入出力装置及び操作装置に関する。
【背景技術】
【０００２】
従来、操作パネルと電気基板との間に電気基板の大部分を覆う大きさの絶縁シートを設け、それにより電気基板を静電気から保護するプリンタが知られている（例えば、特許文献１参照）。
【特許文献１】特開２０００−２５２０９３公報
【発明の開示】
【発明が解決しようとする課題】
【０００３】
ところで、操作スイッチに関する文字が特定言語で表記されている着脱可能なカバー部材を操作部に設け、製品購入後にユーザが所望の言語に対応したカバー部材に交換する場合がある。この場合、カバー部材を取り外すと、ユーザに帯電している静電気が電気基板に放電されて電気基板の破壊や誤作動に繋がる虞がある。このため、静電気から電気基板を保護する対策が必要である。
しかしながら、電気基板の大部分を覆うような大きさの絶縁シートを設けるとコストの増大やプリンタの重量化あるいは大型化を招き、コストや重量あるいは体格の面で不効率であるという問題がある。
【０００４】
本発明は上記のような事情に基づいて完成されたものであって、操作部のカバー部材を着脱する際の静電気放電から電気基板を効率よく保護する画像入出力装置及び操作装置を提供することを目的とする。
【課題を解決するための手段】
【０００５】
第１の発明は、画像を入力及び／又は出力する画像入出力部であって、第１の位置と第２の位置とに移動可能な可動部材を有する画像入出力部と、前記画像入出力部を操作するための操作部であって、電気基板を有する操作部と、前記操作部を覆う着脱可能なカバー部材と、前記可動部材に設けられている静電気除去手段と、を備え、前記可動部材は、前記第１の位置にあるとき前記カバー部材を着脱不能にし、ユーザにより前記第１の位置から前記第２の位置に移動されたとき前記カバー部材を着脱可能にする。
この発明によると、カバー部材を取り外すとき、ユーザは静電気除去手段が設けられている可動部材を第１の位置から第２の位置に移動させ、その後にカバー部材を取り外すことになるので、ユーザの静電気が除去され、電気基板への静電気放電の可能性を低減できる。
この場合において、本発明では第１の位置にあるときカバー部材を着脱不能にし第２の位置にあるときカバー部材を着脱可能にする部材として、画像入出力部が有する可動部材を用いる。このため、カバー部材を着脱不能／可能にする部材を別途備える必要がなく、コストや重量あるいは体格の面で効率がよい。よって本発明によると、操作部のカバー部材を着脱する際の静電気放電から電気基板を効率よく保護できる。
【０００６】
第２の発明は、前記可動部材は当該可動部材を移動させるユーザが手を掛けるための手掛け部を有し、前記静電気除去手段は前記手掛け部に設けられている。
可動部材に手掛け部が設けられている場合、ユーザは可動部材を第２の位置に移動させるとき手掛け部に手を掛けて移動させる可能性が高い。この場合、手掛け部以外の場所に静電気除去手段を設けると、それらの場所に設けた静電気除去手段は無駄になってしまう可能性が高い。この発明によると、手掛け部に静電気除去手段を設けるので、無駄を低減して効率よく電気基板を保護できる。
【０００７】
第３の発明は、前記画像入出力部は、原稿台に載置された原稿を覆う原稿カバーと、前記原稿台に載置された原稿を読み取って画像データを生成する読取部とを有し、前記可動部材は前記原稿カバーであり、前記第１の位置は前記原稿を覆う位置であり、前記第２の位置は前記原稿台を開放する位置である。
【０００８】
第４の発明は、前記画像入出力部は、開口を有する筐体と、前記開口を開閉する開閉扉と、前記筐体に収容され印刷媒体に画像を形成する画像形成部とを有し、前記可動部材は前記開閉扉であり、前記第１の位置は前記開口を閉じる位置であり、前記第２の位置は前記開口を開く位置である。
【０００９】
第５の発明は、前記可動部材は前記第１の位置にあるとき前記カバー部材を覆う。
この発明によると、可動部材がカバー部材を覆うことにより、可動部材を第２の位置に移動させなければカバー部材を着脱できないことをユーザに直感的に知らせることができる。
【００１０】
第６の発明は、前記可動部材は前記カバー部材の前記可動部材に近い側の外縁部を覆う。
この発明によると、可動部材が第１の位置にあるときも操作部を操作することができる。
【００１１】
第７の発明は、前記カバー部材は前記可動部材に覆われる位置まで延びる延出部を備える。
本来、カバー部材は操作部を覆うことができる大きさであればよく、操作部を覆わない部分を設ける必要はない。しかしながら、その場合にはカバー部材の外縁部が可動部材まで達せずにカバー部材が可動部材に覆われない場合もある。この発明によると、可動部材に覆われる位置まで延びる延出部をカバー部材に設け、カバー部材が可動部材に覆われるようにしている。これにより、可動部材が第１の位置にあるときカバー部材を着脱不能にすることができる。
【００１２】
第８の発明は、前記静電気除去手段は、静電気除去シート又は避雷針である。
【００１３】
第９の発明は、電気基板を有する操作部と、前記操作部を覆う着脱可能な絶縁性のカバー部材と、前記カバー部材の外縁部に設けられている第１の導電性部材であって、前記カバー部材を前記操作部に装着する際に、前記操作部に最初に接触する部分に設けられる第１の導電性部材と、前記操作部に設けられる第２の導電性部材であって、前記カバー部材を前記操作部に装着する際に、前記第１の導電性部材が最初に接触する部分に設けられる第２の導電性部材と、を備える。
この発明によると、カバー部材を装着するとき、第１の導電性部材と第２の導電性部材とが最初に接触するので、ユーザに帯電している静電気は第１の導電性部材、第２の導電性部材の経路で逃がされる。
この場合に、この発明では第１の導電性部材をカバー部材の外縁部に設けている。外縁部はカバー部材を着脱する際にユーザが触れなければ着脱し難いので、カバー部材の全体を覆うように第１の導電性部材を設けなくてもよい。よってこの発明によると、操作部のカバー部材を着脱する際の静電気放電から電気基板を効率よく保護できる。
【００１４】
第１０の発明は、電気基板とこれを支持する絶縁部材とを有する操作部と、前記操作部を覆う着脱可能な絶縁性のカバー部材と、前記絶縁部材の外縁部に設けられている静電気除去手段と、を備える。
この発明によると、静電気除去手段を絶縁部材の外縁部に設けたので、電気基板上の各所に静電気除去手段を設ける場合に比べ、カバー部材を着脱する際の静電気放電から電気基板を効率よく保護できる。
【００１５】
第１１の発明は、前記静電気除去手段は避雷針である。
【００１６】
第１２の発明は、電気基板とこれを支持する絶縁部材とを有する操作部と、前記操作部を覆う着脱可能なカバー部材と、前記絶縁部材の外縁部に設けられ、ユーザと前記電気基板との沿面距離を長くする絶縁性の壁部と、を備える。
この発明によると、絶縁部材の外縁部にユーザと電気基板との沿面距離を長くする壁部を設けたので、静電気に帯電しているユーザがカバー部材を取り外しても、ユーザに帯電している静電気が絶縁部材の外縁部を回り込んで電気基板に放電される可能性を低減できる。
この場合に、この発明では壁部を絶縁部材の外縁部に設けたので、電気基板上の各所に静電気を除去するための手段を設ける場合に比べ、カバー部材を着脱する際の静電気放電から電気基板を効率よく保護できる。
【発明の効果】
【００１７】
本発明によれば、操作部のカバー部材を着脱する際の静電気放電から電気基板を効率よく保護できる。
【発明を実施するための最良の形態】
【００１８】
＜実施形態１＞
本発明の実施形態１を図１ないし図１０によって説明する。
（複合機の外観構成）
図１は、スキャナ機能、プリンタ機能、コピー機能、ファクシミリ機能等を有する複合機１（画像入出力装置の一例）の斜視図である。
【００１９】
複合機１は、用紙等の印刷媒体に画像を形成するための画像形成部１８（図２参照）を備えたプリンタ１０の上部に、原稿を読み取るための読取部１１（画像入出力部の一例）を備えている。読取部１１はいわゆるフラットベッド方式のものであって、図示しない原稿台に載置された原稿を図示しないＣＩＳ等のイメージセンサで読み取ることで原稿画像を入力し、入力した原稿画像を表す画像データを生成する。
【００２０】
原稿台の上方には、原稿カバー１２が原稿台に対して開閉可能に設けられている。また、原稿カバー１２にはＡＤＦ１３（自動原稿供給装置）が一体に設けられている。ＡＤＦ１３は用紙台１４にセットされた原稿をイメージセンサにより読み取り可能な位置へ搬送する。
複合機１の上部前面には、ユーザによる各種の入力操作が可能な操作部１５（操作部及び操作装置の一例）と、液晶ディスプレイからなる表示部１６とが設けられている。操作部１５はカバー部材１７に覆われている。
【００２１】
（複合機の電気的構成）
図２は、複合機１の電気的構成を概略的に示すブロック図である。複合機１は、ＣＰＵ１９、ＲＯＭ２０、ＲＡＭ２１、ＮＶＲＡＭ２２、読取部１１、画像形成部１８、操作部１５、表示部１６などが電気的に接続されている。
ＲＯＭ２０には、複合機１の動作を制御するための各種のプログラムが記憶されており、ＣＰＵ１９はＲＯＭ２０から読み出したプログラムに従って、その処理結果をＲＡＭ２１またはＮＶＲＡＭ２２に記憶させながら、各部の制御を行う。
【００２２】
画像形成部１８は、用紙カセットにセットされた紙などの被記録媒体を搬送する搬送機構などを有し、画像データに基づいて被記録媒体上にレーザー方式やインクジェット方式などで画像を形成することにより画像を出力する。
【００２３】
（操作部の概略構成）
図３はカバー部材１７を取り外した状態の操作部１５の斜視図であり、図４は操作部１５を図３とは逆側から見た斜視図である。本実施形態では図３に示す側を操作部１５の表側といい、図４に示す側を操作部１５の裏側というものとする。
図４に示すように操作部１５は電気回路が実装された電気基板２３を有している。また、図３に示すように操作部１５はユーザが電気基板２３上の接点をオン／オフ操作するための複数の押しボタン式の操作スイッチ２４及びこれらを支持する絶縁性の樹脂部材２５（絶縁部材の一例）を有している。また、樹脂部材２５は液晶ディスプレイ１６ａも支持している。
【００２４】
樹脂部材２５には、カバー部材１７に形成されているフック３０（図７参照）が挿入される複数の穴２６、及びカバー部材１７に形成されているフック３１（図７参照）と係合する複数の穴４０が形成されている。複数の穴２６の内部には爪が形成されており、カバー部材１７に形成されているフックは穴２６に挿入されて内部の爪と係合する。
図４に示すように、樹脂部材２５の裏側の外縁部には、表側に表記されている文字の上下を基準にして下になる側、左になる側の一部、及び右になる側の一部に樹脂の壁２５ａ（壁部の一例）が一体形成されている。樹脂部材２５の外縁部に絶縁性の壁２５ａを形成すると、壁２５ａがあることにより、ユーザがカバー部材１７を操作部１５から取り外したり操作部１５に装着したりする際に樹脂部材２５の外縁部に触れたとしても、ユーザの手が触れた部分から電気基板２３までの沿面距離を長くすることができる。
【００２５】
ここで沿面距離とは、２つの導電性部分間の、絶縁物の表面に沿った最短距離をいう。沿面距離を長くすると、ユーザの手から樹脂部材２５の外縁部を回り込んで電気基板２３に至る静電気放電が起き難くなる。これにより、操作部１５に対してカバー部材１７を取り外したり装着したりする際に、静電気が電気基板に放電される可能性を低減できる。
【００２６】
なお、本実施形態ではカバー部材１７の外縁部のうち上下方向の下側、左右方向左側の一部、及び左右方向右側の一部等、ユーザがカバー部材１７を取り外したり着脱したりする際に触れる可能性の高い部分に壁を設けているが、樹脂部材２５の外縁部全周に壁を設けてもよい。このようにすれば、静電気が電気基板に放電される可能性をより低減できる。
【００２７】
図５は、操作部１５から取り外したカバー部材１７の斜視図である。図５ではカバー部材の表側を示している。カバー部材１７は操作部１５を覆う着脱可能な樹脂製の部材である。カバー部材１７には各操作スイッチ２４に対応する位置、及び液晶ディスプレイ１６ａに対応する位置に開口２７が形成されており、カバー部材１７は各開口２７にそれぞれ対応する操作スイッチ２４あるいは液晶ディスプレイ１６ａが挿入された状態で操作部１５を覆う。カバー部材１７の表側は透明性の樹脂で覆われており、操作者は各スイッチ２４をこの透明性の樹脂の上から操作することになる。この透明性の樹脂はカバー部材１７が操作部１５に装着されているときに電気基板２３への静電気放電を防止するためのものである。なお、図５ではいくつかの開口２７にのみを符号を付し、他の開口２７については符号を省略している。
【００２８】
カバー部材１７には、カバー部材１７が操作部１５に取り付けられた状態において原稿カバー１２に近い側の外縁部に、カバー部材１７に覆われる位置まで延びる延出部１７ａが形成されている。
カバー部材１７において破線２８で囲まれている開口２７の近傍には対応する操作スイッチ２４に関する文字が特定言語で表記されている。以下、具体的に説明する。
【００２９】
図６は操作スイッチ２４に関する文字の一例を示す模式図であって、図５において破線で示す円２９内を拡大して示す模式図である。操作スイッチ２４に関する文字とは、例えば図６に示す開口２７に挿入される図示しない操作スイッチ２４が原稿の読み取りを指示するための操作スイッチであれば「スキャン」という文字のように、操作スイッチ２４の役割をユーザに案内するための文字である。例えば操作スイッチ２４がコピーの実行を支持するための操作スイッチであれば「コピー」などの文字となる。
【００３０】
例えば日本に出荷する製品の場合は操作スイッチ２４に関する文字を日本語で表記したカバー部材１７が同梱され、アメリカの場合は例えば英語で表記したカバー部材１７が同梱される。また、カナダの場合は例えば英語で表記したカバー部材１７とフランス語で表記したカバー部材１７とが同梱され、ユーザは自身の好みに応じた言語で表記されているカバー部材１７を装着して用いることができる。
【００３１】
カバー部材１７を一度装着した後でも、その後に別の言語で表記されているカバー部材１７を用いたい場合は、装着してあるカバー部材１７を取り外して別のカバー部材１７を装着できる。
図５に示すようにカバー部材１７には特定の操作スイッチ２４群が挿入される開口２７の周囲に矩形の窪み１７ｂが形成されている。操作スイッチ２４群は例えばそれぞれ特定のファクシミリ番号が対応付けられている機能スイッチであり、窪み１７ｂには各操作スイッチ２４に対応する電話番号などを記入したカードなどがセットされる。
【００３２】
図７は、操作部１５から取り外したカバー部材１７の裏側の斜視図である。カバー部材１７の裏側には前述した操作部１５の穴２６と係合する複数のフック３０、及び前述した操作部１５の穴４０と係合する複数のフック３１が形成されている。
【００３３】
図８は、複合機１の上部を拡大して示す斜視図である。図８では原稿を押さえる位置（第１の位置）にある原稿カバー１２を示している。図示するように原稿カバー１２の側面にはユーザが手を掛けるための手掛け部３２が形成されている。原稿カバー１２は、次述する手掛け部３２が設けられる前端部１２ａとは反対の後端部１２ｂをプリンタ２の後端部とヒンジなどで連結されており、後端部１２ｂを軸として原稿台を開放する位置（第２の位置）に回動可能であり、ユーザは原稿を読み取らせるとき手掛け部３２に手を掛けて原稿カバー１２を第２の位置まで移動させる。
【００３４】
図９は手掛け部３２の断面図であって、図１０に示すＡ−Ａ線の断面図である。手掛け部３２は原稿カバー１２の前端部１２ａに横方向に延びる長方形状の空間を形成しており（図８参照）、手掛け部３２において当該空間の上面を形成する壁部には静電気除去シート３３が設けられている。
【００３５】
（カバー部材の着脱）
図８に示すように原稿カバー１２が第１の位置にあるとき、カバー部材１７の一部は原稿カバー１２に覆われている。より具体的には、図５に示す延出部１７ａが原稿カバー１２に覆われている。この状態のときユーザはカバー部材１７を着脱することができず、カバー部材１７を着脱するためにはユーザは原稿カバー１２を第２の位置まで移動させる必要がある、すなわち原稿カバー１２を開く必要がある。
【００３６】
ユーザはカバー部材１７を外すために手掛け部３２に手を掛けて、原稿カバー１２を、カバー部材１７の取り外しを妨げない第２の位置まで移動させる。このときユーザの手が前述した静電気除去シート３３（図９参照）に触れることになる。これによりユーザに帯電している静電気が逃がされる。その後、ユーザは、カバー部材１７を操作部１５から取り外す。
【００３７】
以上説明した本発明の一実施形態に係る複合機１によると、カバー部材１７を取り外すとき、ユーザは静電気除去シート３３が設けられている原稿カバー１２を第１の位置から第２の位置に移動させ、その後にカバー部材１７を取り外すことになるので、ユーザの静電気が除去され、電気基板２３への静電気放電の可能性を低減できる。
【００３８】
この場合において、複合機１では第１の位置にあるときカバー部材１７を着脱不能にし第２の位置にあるときカバー部材１７を着脱可能にする部材として、複合機１が有する原稿カバー１２を用いる。このため、カバー部材１７を着脱不能／可能にする部材を別途備える必要がなく、コストや重量あるいは体格の面で効率がよい。よって複合機１によると、操作部１５のカバー部材１７を着脱する際の静電気放電から電気基板２３を効率よく保護できる。
【００３９】
この発明によると、可動部材がカバー部材を覆うことにより、可動部材を第２の位置に移動させなければカバー部材を着脱できないことをユーザに直感的に知らせることができる。
更に、複合機１によると、原稿カバー１２はカバー部材１７の原稿カバー１２に近い側の外縁部を覆うので、原稿カバー１２が第１の位置にあるときも操作部１５を操作することができる。
【００４０】
更に、複合機１によると、原稿カバー１２はカバー部材１７の延出部１７ａを覆う。本来、カバー部材１７は操作部１５を覆うことができる大きさであればよく、操作部１５を覆わない部分を設ける必要はない。しかしながら、その場合にはカバー部材１７の外縁部が原稿カバー１２まで達せずにカバー部材１７が原稿カバー１２に覆われない場合もある。複合機１によると、原稿カバー１２に覆われる位置まで延びる延出部１７ａをカバー部材１７に設け、カバー部材１７が原稿カバー１２に覆われるようにしている。これにより、原稿カバー１２が第１の位置にあるときカバー部材１７を着脱不能にすることができる。
【００４１】
＜実施形態２＞
次に、本発明の実施形態２を図１１ないし図１２によって説明する。
図１１は、プリンタ２（画像入出力装置の一例）の斜視図である。
プリンタ２は、開口を有する筐体５１、開口を開閉するフロントカバー５２（開閉扉の一例）、筐体５１に収容され印刷媒体に画像を形成する画像形成部（画像入出力部の一例）、操作部５５などを備えている。画像形成部は実施形態１の画像形成部１８と実質的に同一であるので詳細な説明は省略する。
【００４２】
図１１においてフロントカバー５２に隠れて見えていない開口は、トナーやインクの交換、あるいはジャムが発生したときに用紙を取り除くなどのように、画像形成部を保守するために設けられている。
フロントカバー５２はヒンジなどで筐体５１に連結されており、本実施形態では破線５３で示す回転軸線周りに回動可能に連結されている。図１１では開口を閉じる位置（第１の位置）にあるフロントカバー５２を示している。
【００４３】
プリンタ２にはユーザがフロントカバー５２に手を掛けるための手掛け部５４が形成されている。フロントカバー５２は開口を開く位置（第２の位置）に回動可能であり、ユーザは画像形成部を保守するとき手掛け部５４に手を掛けてフロントカバー５２を、次述するカバー部材５７の取り外しを妨げない第２の位置まで移動させる。手掛け部５４には実施形態１と同様に静電気除去シートが設けられている。
【００４４】
プリンタ２の上部前面には、画像形成部を操作するための操作部５５と、液晶ディスプレイなどを有する表示部５６とが設けられている。
操作部５５は図示しない電気基板、操作スイッチ、及びこれらを支持する樹脂部材などを有している。また、操作部５５には操作スイッチの周囲を覆う着脱可能な樹脂製のカバー部材５７が取り付けられている。カバー部材５７には各操作スイッチに関する文字が特定言語で表記されている。
【００４５】
図１２は、操作部５５及びカバー部材５７の断面図であって、図１１に示す正面方向Ｂに垂直な断面の模式図である。カバー部材５７は操作部５５を覆うように設けられており、カバー部材５７が操作部５５に取り付けられた状態においてフロントカバー５２に近い側の外縁部に、フロントカバー５２に覆われる位置まで延びる延出部５７ａが形成されている。
【００４６】
フロントカバー５２にはカバー部材５７の延出部５７ａと係合する係合溝５２ａが形成されている。フロントカバー５２が第１の位置にあるとき、延出部５７ａと係合溝５２ａとが係合する。したがって、フロントカバー５２が第１の位置にあるとき、カバー部材５７はフロントカバー５２に延出部５７ａが覆われ、操作部５５に対して着脱できなくなる。
実施形態２はその他の点において実施形態１の複合機１と実質的に同一である。
【００４７】
＜実施形態３＞
次に、本発明の実施形態３を図１３ないし図１６によって説明する。
実施形態３では実施形態１の複合機１を操作するための操作装置を例に説明する。実施形態３に係る操作装置は操作部とカバー部材とで構成されている。操作部の構成は実施形態１の操作部１５と実質的に同一であり、電気基板、操作スイッチ、樹脂部材などを有している。
【００４８】
図１３は、実施形態３に係るカバー部材６０の表側の斜視図である。カバー部材６０の形状は実施形態１のカバー部材１７の形状と実質的に同一である。ただし、カバー部材６０の外縁部の表側には第１の導電性部材６１が設けられている。
【００４９】
図１４は、カバー部材６０の裏側の斜視図である。カバー部材６０の裏側の形状は実施形態１のカバー部材１７の裏側の形状と実質的に同一であるが、カバー部材６０には導電性のフック６２が設けられている。具体的には例えば、フック６２は図１５に示すように第１の導電性部材６１に一体形成されて、カバー部材６０に設けられた図示しない穴に対し、表側から挿入されている。
【００５０】
図１６は、実施形態３に係る操作部６５の斜視図である。操作部６５の構成は前述したように実施形態１の操作部１５と実質的に同一であるが、操作部６５ではフック６２が挿入される穴６３の内部に図１５に示すように導電性の爪６４が形成されており、爪６４は例えば複合機１のフレームなどを介して接地されている。
【００５１】
実施形態３に係る操作装置によると、カバー部材６０を装着するとき、フック６２は爪６４に最初に接触する。したがって、ユーザに帯電している静電気は、電気基板に放電されるより前に第１の導電性部材６１、爪６４の経路で逃がされる。
前述したように本実施形態では、第１の導電性部材６１をカバー部材６０の表側の外縁部に設けている。外縁部はカバー部材６０を着脱する際にユーザが触れなければ着脱し難いので、カバー部材６０の表側全体を覆うように第１の導電性部材６１を設けなくてもよい。よってカバー部材６０を着脱する際の静電気放電から電気基板を効率よく保護できる。
【００５２】
なお、第１の導電性部材６１はカバー部材６０の外縁部の裏側に設けてもよい。カバー部材６０を装着するときは、ユーザは指でカバー部材６０の外縁部を裏側と表側とから挟むようにして持つことが多く、この場合、第１の導電性部材６１がカバー部材６０の外縁部の裏側に設けられていても同じ効果を得られるからである。
【００５３】
＜実施形態４＞
次に、本発明の実施形態４を図１７によって説明する。
実施形態４では実施形態３と同様に複合機１を操作するための操作装置を例に説明する。実施形態４に係る操作装置も実施形態３と同様にカバー部材と操作部とで構成されている。
【００５４】
操作部は実施形態３の操作部と同様に電気基板２３、操作スイッチ、樹脂部材７１などを有している。電気基板２３及び操作スイッチの構成は実施形態３と実質的に同一である。樹脂部材７１の構成は実施形態３と実質的に同一であるが、実施形態４の樹脂部材７１は以下に述べる避雷針を備えている。
【００５５】
図１７は、実施形態４に係る樹脂部材７１の裏側を示す斜視図である。実施形態４では実施形態１に係る樹脂部材２５と同様に裏側の外縁部に沿面距離を長くする壁７１ａが形成されている。壁７１ａのうち、上下方向下側に形成されている壁には複数の避雷針７２が設けられている。避雷針７２は棒状の導電性部材であり、複合機１のフレームなどを介して接地されている。
【００５６】
樹脂部材７１の外縁部に避雷針７２を設けると、ユーザの手から樹脂部材７１の外縁部を回り込んで電気基板２３に至る沿面距離よりも、ユーザの手から樹脂部材７１の外縁部を回り込んで避雷針７２に至る沿面距離の方が短くなる。
したがって実施形態４に係る操作装置によると、カバー部材を取り外した後においてもまだユーザが静電気に帯電していたとしても、帯電している静電気は避雷針７２に放電され、ユーザから樹脂部材７１の外縁部を回り込んで電気基板２３に至る静電気放電が起き難くなる。これにより、カバー部材を取り外した後もまだユーザが静電気に帯電していたとしても、静電気が電気基板２３に放電される可能性を低減できる。
【００５７】
なお、本実施形態では避雷針７２を樹脂部材７１の外縁部のうち上下方向下側の外縁部にのみ設けているが、樹脂部材７１の外縁部全周に避雷針を設けてもよい。
また、本実施形態では実施形態１で説明した壁７１ａが形成されている樹脂部材７１を例に説明したが、壁７１ａが形成されていない樹脂部材に避雷針７２を設けてもよい。
さらに、本実施形態では避雷針７２は複合機１のフレームなどを介して接地されているが、電気基板２３に実装され、電気基板２３上のパターンを回避するためのジャンパーワイヤ等を介して接地されてもよい。
【００５８】
＜他の実施形態＞
本発明は上記記述及び図面によって説明した実施形態に限定されるものではなく、例えば次のような実施形態も本発明の技術的範囲に含まれる。
（１）実施形態１では画像入出力装置として画像を読み取る読取部１１と印刷媒体に画像を形成する画像形成部１８とを両方備える複合機１を例に説明したが、画像入出力装置は読取部１１のみを備えるものであってもよい。すなわち画像の入力は行うが出力は行わない画像入出力装置であってもよい。
【００５９】
（２）実施形態２では画像入出力装置による画像の出力の例としてプリンタを例に説明したが、画像入出力装置は例えば公衆電話回線などを通じて原稿画像をファクシミリ送信することによって出力してもよい。
（３）実施形態１及び実施形態２では静電気除去手段として静電気除去シートを例に説明したが、静電気除去手段はユーザが原稿カバー１２あるいはフロントカバー５２を開く際にユーザに帯電している静電気を除去できる構成であればよく、例えば手掛け部に避雷針を設けることによって静電気を除去してもよい。
【図面の簡単な説明】
【００６０】
【図１】本発明の一実施形態に係る画像入出力装置の斜視図。
【図２】本発明の一実施形態に係るブロック図。
【図３】本発明の一実施形態に係る操作部を表側の斜視図。
【図４】本発明の一実施形態に係る操作部を裏側の斜視図。
【図５】本発明の一実施形態に係るカバー部材の表側の斜視図。
【図６】本発明の一実施形態に係るカバー部材の要部の拡大図。
【図７】本発明の一実施形態に係るカバー部材の裏側の斜視図。
【図８】本発明の一実施形態に係る画像入出力装置の斜視図。
【図９】本発明の一実施形態に係る手掛け部の断面図。
【図１０】本発明の一実施形態に係る画像入出力装置の正面図。
【図１１】本発明の一実施形態に係る画像入出力装置の斜視図。
【図１２】本発明の一実施形態に係る操作部及びカバー部材の断面図。
【図１３】本発明の一実施形態に係るカバー部材の表側の斜視図。
【図１４】本発明の一実施形態に係るカバー部材の裏側の斜視図。
【図１５】本発明の一実施形態に係る第１〜第２の導電性部材の断面図。
【図１６】本発明の一実施形態に係る操作部の斜視図。
【図１７】本発明の一実施形態に係る樹脂部材の裏側の斜視図。
【符号の説明】
【００６１】
１・・・複合機（画像入出力装置）
２・・・プリンタ（画像入出力装置）
１１・・・読取部（画像入出力部）
１２・・・原稿カバー（画像入出力部）
１５・・・操作部
１７・・・カバー部材
１７ａ・・・延出部
１８・・・画像形成部（画像入出力部）
２３・・・電気基板
２５・・・樹脂部材（絶縁部材）
３２・・・手掛け部
３３・・・静電気除去シート（静電気除去手段）
５１・・・筐体
５２・・・フロントカバー（画像入出力部、開閉扉）
５４・・・手掛け部
５５・・・操作部
５７・・・カバー部材
５７ａ・・・延出部
６０・・・カバー部材
６１・・・第１の導電性部材
６４・・・爪（第３の導電性部材）
６５・・・操作部
７１ａ・・・壁（壁部）
７１・・・樹脂部材（絶縁部材）
７２・・・避雷針
【図１】
2009204996.tif 000003
【図２】
2009204996.tif 000004
【図３】
2009204996.tif 000005
【図４】
2009204996.tif 000006
【図５】
2009204996.tif 000007
【図６】
2009204996.tif 000008
【図７】
2009204996.tif 000009
【図８】
2009204996.tif 000010
【図９】
2009204996.tif 000011
【図１０】
2009204996.tif 000012
【図１１】
2009204996.tif 000013
【図１２】
2009204996.tif 000014
【図１３】
2009204996.tif 000015
【図１４】
2009204996.tif 000016
【図１５】
2009204996.tif 000017
【図１６】
2009204996.tif 000018
【図１７】
2009204996.tif 000019